(57)【要約】  【課題】  現在時刻等の情報を示すＯＳＤ画像を主画像内に合成した画像を表示し、ＯＳＤ画像のために使用者が注目している画像内の部分の視認が困難になることを防止することができる画像表示装置を提供する。  【解決手段】  本発明の画像表示装置１は、表示部１６に表示すべき主画像に含まれる複数のエリアに対して、ＯＳＤ画像（属画像）を合成する位置として適している度合いの評価を行う。画像表示装置１は、各エリア内に含まれる輝度信号の空間周波数の高周波成分の強度を求め、ＯＳＤ画像を合成するエリアとして、輝度信号の高周波成分の強度が最小となるエリアを選択する。高周波成分が少ない部分は、画像の変化に乏しいので、この部分にＯＳＤ画像を表示することにより、使用者が注目している部分の視認が困難になることを防止できる。【選択図】        図１
2006078693.tif 000002
【特許請求の範囲】
【請求項１】
主画像に属画像を合成した合成画像を表示する画像表示装置において、
主画像内に含まれる予め定められた複数のエリアの夫々に対して、属画像を合成する位置として適している度合いの評価を行う評価手段と、
前記複数のエリアの内、前記評価手段による評価に基づいて一のエリアを選択する選択手段と、
該選択手段が選択したエリアに属画像を合成した合成画像を表示する画像表示手段と
を備えることを特徴とする画像表示装置。
【請求項２】
前記評価手段は、各前記エリア内での主画像の輝度信号に含まれる所定の空間周波数領域内の成分の強度を求める手段を有し、
前記選択手段は、前記評価手段が求めた前記所定の空間周波数領域内の成分の強度に応じて一のエリアを選択する手段を有すること
を特徴とする請求項１に記載の画像表示装置。
【請求項３】
前記評価手段は、各前記エリア内での主画像の輝度信号に含まれる所定の空間周波数以上の空間周波数成分の強度を求める手段を有し、
前記選択手段は、前記評価手段が求めた前記所定の空間周波数以上の空間周波数成分の強度が最小であるエリアを選択する手段を有すること
を特徴とする請求項１に記載の画像表示装置。
【請求項４】
前記評価手段は、各前記エリア内での主画像の輝度信号に係る強度を求める手段を有し、
前記選択手段は、前記評価手段が求めた前記輝度信号に係る強度と予め定められている属画像の輝度信号の強度との差が最大であるエリアを選択する手段を有すること
を特徴とする請求項１に記載の画像表示装置。
【請求項５】
前記評価手段は、
各前記エリア内での主画像に係る色相を求める手段と、
該手段が求めた前記エリア内での主画像に係る色相と予め定められている属画像の色相との色相差を求める手段とを有し、
前記選択手段は、前記評価手段が求めた前記色相差が最大であるエリアを選択する手段を有すること
を特徴とする請求項１に記載の画像表示装置。
【請求項６】
前記評価手段は、
前記エリアの夫々に対して、前記エリア内での主画像の輝度信号に含まれる所定の空間周波数以上の空間周波数成分の強度順に応じた評価を示す評価値、前記エリア内での主画像の輝度信号に係る強度と予め定められている属画像の輝度信号の強度との差の順に応じた評価を示す評価値、又は前記エリア内での主画像に係る色相と予め定められている属画像の色相との色相差の順に応じた評価を示す評価値の内、少なくとも一つの評価値を決定する手段を有し、
前記選択手段は、前記評価手段が決定した評価値に基づいてエリアを選択する手段を有すること
を特徴とする請求項１に記載の画像表示装置。
【請求項７】
前記主画像は、時間経過に伴って順次表示される複数の画像からなる動画像に含まれる画像であり、
前記評価手段は、時間経過に伴って順次表示されるべき複数の主画像の前記エリアの夫々に対して評価を行う手段を有することを特徴とする請求項１乃至６のいずれかひとつに記載の画像表示装置。
【請求項８】
前記選択手段が選択した前記エリアの主画像内での位置に応じて、前記画像表示手段が主画像に合成する属画像の前記エリア内での位置を定める手段を更に備えることを特徴とする請求項１乃至７のいずれかひとつに記載の画像表示装置。
【請求項９】
前記選択手段が選択した前記エリア内での主画像の輝度信号に係る強度から所定以上離れた値に、前記画像表示手段が主画像に合成する属画像の輝度信号の強度を設定する手段を更に備えることを特徴とする請求項１乃至８のいずれかひとつに記載の画像表示装置。
【請求項１０】
前記選択手段が選択した前記エリア内での主画像に係る色相と補色関係になる色相に、前記画像表示手段が主画像に合成する属画像の色相を設定する手段を更に備えることを特徴とする請求項１乃至９のいずれかひとつに記載の画像表示装置。
【発明の詳細な説明】
【技術分野】
【０００１】
本発明は、現在時刻等の情報を示すＯＳＤ画像を内部に合成した画像を表示する画像表示装置に関する。
【背景技術】
【０００２】
画像を表示する画像表示装置は、テレビジョン映像の表示、ビデオ映像の表示、又は使用者がカメラで撮影した撮影画像の表示等に広く用いられている。このような画像表示装置は、現在時刻、画像データのファイル名、撮影画像の撮影日時等の情報を示すＯＳＤ（ On Screen Display）画像を、本来表示すべき画像内に含ませて表示する機能を有するものが多い。従来の画像表示装置の多くでは、画像内の予め定められた位置に表示していた。しかし、画像表示装置が表示する画像に字幕が含まれており、ＯＳＤ画像が表示される位置が字幕の位置に重なっている場合は、字幕が視認し難いという問題がある。そこで、特許文献１に開示されているように、画像表示装置が表示している画像に字幕が含まれているか否かを調べ、画像に字幕が含まれている場合には、画像内の字幕に重ならない位置にＯＳＤ画像を表示する技術が開発されている。
【特許文献１】特開２００１−２５７９５９号公報
【発明の開示】
【発明が解決しようとする課題】
【０００３】
特許文献１に開示された技術によって、字幕にＯＳＤ画像が重なるという状況は解消されるが、字幕以外の重要な部分にＯＳＤ画像が重なる可能性は依然として残っており、ＯＳＤ画像のために画像内の使用者が注目している部分の視認が困難になることが発生する可能性がある。また、画像内のＯＳＤ画像が位置する部分の色がＯＳＤ画像の色に類似している場合、又は画像内のＯＳＤ画像が位置する部分の輝度がＯＳＤ画像の輝度と同程度である場合等では、ＯＳＤ画像の視認が困難となることもある。
【０００４】
本発明は、斯かる事情に鑑みてなされたものであって、その目的とするところは、画像表示装置が表示する画像内の使用者が注目する可能性が高い部分とは別の位置にＯＳＤ画像を表示することにより、ＯＳＤ画像のために使用者が注目している画像内の部分の視認が困難になることを防止することができる画像表示装置を提供することにある。
【０００５】
また本発明の他の目的とするところは、ＯＳＤ画像の視認を容易にすることができる画像表示装置を提供することにある。
【課題を解決するための手段】
【０００６】
本発明に係る画像表示装置は、主画像に属画像を合成した合成画像を表示する画像表示装置において、主画像内に含まれる予め定められた複数のエリアの夫々に対して、属画像を合成する位置として適している度合いの評価を行う評価手段と、前記複数のエリアの内、前記評価手段による評価に基づいて一のエリアを選択する選択手段と、該選択手段が選択したエリアに属画像を合成した合成画像を表示する画像表示手段とを備えることを特徴とする。
【０００７】
本発明においては、主画像内に、ＯＳＤ画像（属画像）を合成して表示する画像表示装置は、主画像に含まれる複数のエリアについてＯＳＤ画像を表示させる位置として適している度合いの評価を行い、主画像及びＯＳＤ画像ができるだけ視認し易くなるようなエリアを選択してＯＳＤ画像を表示させる。
【０００８】
本発明に係る画像表示装置は、前記評価手段は、各前記エリア内での主画像の輝度信号に含まれる所定の空間周波数領域内の成分の強度を求める手段を有し、前記選択手段は、前記評価手段が求めた前記所定の空間周波数領域内の成分の強度に応じて一のエリアを選択する手段を有することを特徴とする。
【０００９】
また本発明においては、各エリアを評価する際には、エリア内の主画像の輝度信号に含まれる所定の空間周波数領域内の成分の強度に応じて評価を行い、使用者が注目する部分に含まれる可能性が低い所定の空間周波数領域の成分が含まれるエリアを選択してＯＳＤ画像を表示させる。
【００１０】
本発明に係る画像表示装置は、前記評価手段は、各前記エリア内での主画像の輝度信号に含まれる所定の空間周波数以上の空間周波数成分の強度を求める手段を有し、前記選択手段は、前記評価手段が求めた前記所定の空間周波数以上の空間周波数成分の強度が最小であるエリアを選択する手段を有することを特徴とする。
【００１１】
また本発明においては、複数のエリアの内、エリア内の主画像の輝度信号に含まれる空間周波数の高周波成分が最小であるエリアを選択してＯＳＤ画像を表示させる。
【００１２】
本発明に係る画像表示装置は、前記評価手段は、各前記エリア内での主画像の輝度信号に係る強度を求める手段を有し、前記選択手段は、前記評価手段が求めた前記輝度信号に係る強度と予め定められている属画像の輝度信号の強度との差が最大であるエリアを選択する手段を有することを特徴とする。
【００１３】
また本発明においては、複数のエリアの内、エリア内の主画像の輝度信号とＯＳＤ画像の輝度信号との強度差が最大であるエリアを選択してＯＳＤ画像を表示させる。
【００１４】
本発明に係る画像表示装置は、前記評価手段は、各前記エリア内での主画像に係る色相を求める手段と、該手段が求めた前記エリア内での主画像に係る色相と予め定められている属画像の色相との色相差を求める手段とを有し、前記選択手段は、前記評価手段が求めた前記色相差が最大であるエリアを選択する手段を有することを特徴とする。
【００１５】
また本発明においては、複数のエリアの内、エリア内の主画像の色相とＯＳＤ画像の色相との色相差が最大であるエリアを選択してＯＳＤ画像を表示させることにより、主画像とＯＳＤ画像との色相差が補色の関係に近くなる。
【００１６】
本発明に係る画像表示装置は、前記評価手段は、前記エリアの夫々に対して、前記エリア内での主画像の輝度信号に含まれる所定の空間周波数以上の空間周波数成分の強度順に応じた評価を示す評価値、前記エリア内での主画像の輝度信号に係る強度と予め定められている属画像の輝度信号の強度との差の順に応じた評価を示す評価値、又は前記エリア内での主画像に係る色相と予め定められている属画像の色相との色相差の順に応じた評価を示す評価値の内、少なくとも一つの評価値を決定する手段を有し、前記選択手段は、前記評価手段が決定した評価値に基づいてエリアを選択する手段を有することを特徴とする。
【００１７】
また本発明においては、エリア内の主画像の輝度信号に含まれる空間周波数の高周波成分の大小に応じた評価値、エリア内の主画像の輝度信号とＯＳＤ画像の輝度信号との強度差の順に応じた評価値、又はエリア内の主画像の色相とＯＳＤ画像の色相との色相差の順に応じて評価値の少なくとも一つを各エリアについて決定し、評価値の値に基づいてエリアを選択してＯＳＤ画像を表示させる。
【００１８】
本発明に係る画像表示装置は、前記主画像は、時間経過に伴って順次表示される複数の画像からなる動画像に含まれる画像であり、前記評価手段は、時間経過に伴って順次表示されるべき複数の主画像の前記エリアの夫々に対して評価を行う手段を有することを特徴とする。
【００１９】
また本発明においては、動画を表示する場合には、時間経過に伴って所定期間内に順次表示されるべき複数の主画像に渡って各エリアの評価を行い、所定期間内は同一のエリアにＯＳＤ画像を表示させる。
【００２０】
本発明に係る画像表示装置は、前記選択手段が選択した前記エリアの主画像内での位置に応じて、前記画像表示手段が主画像に合成する属画像の前記エリア内での位置を定める手段を更に備えることを特徴とする。
【００２１】
また本発明においては、主画像及びＯＳＤ画像が視認し易いように、ＯＳＤ画像が表示されるべきエリアの主画像内での位置に応じて、ＯＳＤ画像のエリア内での位置を決定する。
【００２２】
本発明に係る画像表示装置は、前記選択手段が選択した前記エリア内での主画像の輝度信号に係る強度から所定以上離れた値に、前記画像表示手段が主画像に合成する属画像の輝度信号の強度を設定する手段を更に備えることを特徴とする。
【００２３】
また本発明においては、ＯＳＤ画像の輝度を、ＯＳＤ画像が表示されるべきエリア内での主画像の輝度から所定以上離れた輝度にする。
【００２４】
本発明に係る画像表示装置は、前記選択手段が選択した前記エリア内での主画像に係る色相と補色関係になる色相に、前記画像表示手段が主画像に合成する属画像の色相を設定する手段を更に備えることを特徴とする。
【００２５】
また本発明においては、ＯＳＤ画像の色相を、ＯＳＤ画像が表示されるべきエリア内での主画像の色相と補色関係になる色相にする。
【発明の効果】
【００２６】
本発明にあっては、主画像に含まれる複数のエリアの内、主画像及びＯＳＤ画像（属画像）ができるだけ視認し易くなるようなエリアを選択してＯＳＤ画像を表示させるので、画像表示装置が表示する画像内の使用者が注目している部分がＯＳＤ画像のために視認困難になることを防止することができる。
【００２７】
また本発明にあっては、使用者が注目する部分に含まれる可能性が低い所定の空間周波数領域の成分が含まれるエリアを選択してＯＳＤ画像を表示させることにより、画像表示装置が表示する画像内の使用者が注目している部分がＯＳＤ画像のために視認困難になることを防止することができる。
【００２８】
また本発明にあっては、空間周波数の高周波成分が少ない部分は、画像の変化に乏しく、使用者が注目する可能性が低い部分であると推測されるので、輝度信号の空間周波数の高周波成分がより少ないエリアを選択してＯＳＤ画像を表示させることにより、画像表示装置が表示する画像内の使用者が注目している部分がＯＳＤ画像のために視認困難になることを防止することができる。また、通常、ＯＳＤ画像は、現在時刻等を示す文字からなる画像であり、空間周波数の高周波成分が比較的に多いので、高周波成分が比較的に少ない部分にＯＳＤ画像を表示することにより、ＯＳＤ画像の視認が容易となる。
【００２９】
また本発明にあっては、ＯＳＤ画像を合成して表示すべき主画像内のエリアとして、ＯＳＤ画像の輝度信号との強度差がより大きいエリアを選択することにより、主画像内のＯＳＤ画像が位置する部分の輝度がＯＳＤ画像の輝度と大きく異なるので、ＯＳＤ画像の視認が容易となる。
【００３０】
また本発明にあっては、ＯＳＤ画像を合成して表示すべき主画像内のエリアとして、ＯＳＤ画像とエリア内の主画像との互いの色相の関係が補色の関係により近くなるエリアを選択するので、ＯＳＤ画像の視認が容易となる。
【００３１】
また本発明にあっては、各エリアに対して、輝度信号の高周波成分の大きさ、主画像の輝度信号とＯＳＤ画像の輝度信号との強度差、及び主画像とＯＳＤ画像との色相差の様々な要因に基づき、総合的にＯＳＤ画像の視認がより容易となるエリアを選択することができる。
【００３２】
また本発明にあっては、画像表示装置が動画を表示する場合は、時間経過に伴って所定期間内に順次表示されるべき複数の主画像に渡って各エリアの評価を行い、所定期間内は同一のエリアにＯＳＤ画像を表示させることにより、ＯＳＤ画像が表示される位置が頻繁に移動して視認が困難になることを防止する。
【００３３】
また本発明にあっては、ＯＳＤ画像を合成して表示すべきエリアの主画像内での位置に応じてＯＳＤ画像のエリア内での位置を決定することにより、可能な限りＯＳＤ画像を隅に寄せる等して、ＯＳＤ画像によって主画像の視認が困難になる可能性を低下させることができる。
【００３４】
また本発明にあっては、ＯＳＤ画像を合成して表示すべきエリア内の主画像の輝度が高い場合にはＯＳＤ画像の輝度を低輝度にし、エリア内の輝度が低い場合にはＯＳＤ画像の輝度を高輝度にすることにより、ＯＳＤ画像の視認を容易にすることができる。
【００３５】
更に本発明にあっては、ＯＳＤ画像の色相を、ＯＳＤ画像を合成して表示すべきエリア内の主画像の色相と補色関係とすることにより、ＯＳＤ画像の視認を容易にすることができる等、本発明は優れた効果を奏する。
【発明を実施するための最良の形態】
【００３６】
以下本発明をその実施の形態を示す図面に基づき具体的に説明する。
図１は、本発明の画像表示装置の内部の機能構成を示す機能ブロック図である。本発明の画像表示装置１は、画像を表示するＣＲＴモニタ又は液晶モニタ等の表示部１６を備えている。また画像表示装置１は、画像の表示に係る演算を行うＣＰＵ１１と、演算に伴う一時的な情報を記憶するＲＡＭ１２と、ＣＰＵ１１が画像表示装置１を制御するための制御プログラム１３ａを記憶しているＲＯＭ１３とを備えている。更に、画像表示装置１は、動画像又は静止画像を表す画像データを記憶するハードディスク又は半導体メモリ等の画像記憶部１５と、表示部１６が表示する画像を表す画像データを記憶する画像メモリ１４を備えている。なお、画像表示装置１は、撮像手段を備え、外部を撮像した画像を表す画像データを画像記憶部１５に記憶させる撮像装置の機能を有する構成であってもよい。
【００３７】
ＣＰＵ１１は、ＲＯＭ１３が記憶する制御プログラムに従って、画像記憶部１５が記憶する画像データを表示メモリ１４に記憶させ、表示部１６は、表示メモリ１４が記憶する画像データが表現する画像を表示する。またＣＰＵ１１は、必要に応じて、画像記憶部１５が記憶する画像データをＲＡＭ１２へ読み出し、読み出した画像データが表現する主画像内に、現在時刻、画像データのファイル名、撮影画像の撮影日時等の情報を文字で示すＯＳＤ画像（属画像）を合成する処理を行う。ＣＰＵ１１は、次に、主画像にＯＳＤ画像を合成した画像を表現する画像データを表示メモリ１４に記憶させ、表示部１６は、表示メモリ１４が記憶する画像データが表現する画像を表示する。
【００３８】
なお、画像表示装置１は、画像記憶部１５が記憶する画像データに基づいた画像を表示する構成のみではなく、磁気テープ又は光ディスク等の着脱可能な記録媒体に記録された画像データに基づいた画像を表示する構成であってもよい。更に画像表示装置１は、テレビジョン装置等のように、外部から画像データを受信する手段を備え、受信した画像データに基づいた画像を表示する構成であってもよい。
【００３９】
ＲＯＭ１３は、制御プログラム１３ａに加えて、ＣＰＵ１１が処理を行うために必要な設定を示す設定情報１３ｂを記憶している。設定情報１３ｂでは、ＯＳＤ画像が主画像内に合成される位置の候補となる複数のエリアの情報等、ＯＳＤ画像を主画像に合成する処理のために必要な情報を設定している。
【００４０】
次に、本発明の画像表示装置が行う処理の手順をフローチャートを用いて説明する。ＣＰＵ１１は、ＲＯＭ１３が記憶する制御プログラムに従って、画像記憶部１５が記憶する画像データを表示メモリ１４に記憶させ、表示部１６は、表示メモリ１４が記憶する画像データが表現する画像を表示する。ここで、表示部１６が表示する画像は動画像であるとする。画像データにＯＳＤ画像として表示すべき情報が含まれていた場合、前回のＯＳＤ画像を表示してから所定時間が経過した場合、又はＯＳＤ画像の表示の開始に係る処理指示を図示しない受付手段にて受け付けた場合等、所定のトリガが発生した場合に、ＣＰＵ１１は、主画像にＯＳＤ画像が合成された画像を表示部１６に表示させる処理を行う。
【００４１】
図２は、ＣＰＵ１１が行う処理の手順を示すフローチャートである。ＣＰＵ１１は、ＲＯＭ１３が記憶している制御プログラム１３ａに従って以下の処理を行う。ＣＰＵ１１は、ＯＳＤ画像を表示する処理に係るトリガの発生を監視している（Ｓ１１）。トリガの発生がない場合は（Ｓ１１：ＮＯ）、ＣＰＵ１１は、トリガの発生の監視を続行する。トリガが発生した場合は（Ｓ１１：ＹＥＳ）、ＣＰＵ１１は、設定情報１３ｂで予め設定されている主画像内の複数のエリアの内、一のエリアを選択する（Ｓ１２）。
【００４２】
図３は、主画像及び複数のエリアの例を示す模式図である。図３（ａ）は、主画像の例を示す。図３（ｂ）は、各エリアを波線で囲むことによって示している。図３（ｂ）に示す如く、例えば主画像の四隅に各エリアが設定されている。なお、図３（ｂ）に示す例では各エリアは互いに離隔しているが、互いに重なった領域を有するエリアを設定してもよい。
【００４３】
ＣＰＵ１１は、次に、選択したエリアに対して、ＯＳＤ画像を合成して表示する位置としてどれだけ適しているかを評価するエリア評価処理を行う（Ｓ１３）。図４は、ステップＳ１３のエリア評価処理のサブルーチンの手順を示すフローチャートである。ＣＰＵ１１は、ＯＳＤ画像を合成すべき主画像の選択したエリア内に含まれる輝度信号を、所定の閾値を設定したハイパスフィルタに通すことによって、エリア内の輝度信号の空間周波数の高周波成分を抽出する（Ｓ２１）。ＣＰＵ１１は、次に、抽出した高周波成分の強度を計算し（Ｓ２２）、計算した高周波成分の強度がより小であるほどより大なる評価値を決定する（Ｓ２３）。高周波成分の強度と評価値との対応は、設定情報１３ｂに設定されている。なお、輝度信号をハイパスフィルタに通すのではなく、所定のバンドパスフィルタに通すことによって得られた所定の空間周波数領域の強度に基づいて評価値を決定する処理を行ってもよい。
【００４４】
ＣＰＵ１１は、次に、時間経過に伴って順次表示されるべき主画像について所定回数の評価を既に行ったか否かを判定する（Ｓ２４）。所定回数の評価をまだ行っていない場合は（Ｓ２４：ＮＯ）、ＣＰＵ１１は、Ｓ２１〜Ｓ２３で評価を行ったエリアが含まれる主画像が表示されてから所定時間後に表示されるべき主画像の選択したエリア内に含まれる輝度信号を取得し（Ｓ２５）、処理をステップＳ２１へ戻す。ステップＳ２４で所定回数の評価を既に行っている場合は（Ｓ２４：ＹＥＳ）、ＣＰＵ１１は、所定回数得られた評価値を平均し（Ｓ２６）、ステップＳ１３のサブルーチンを終了して処理をメインのルーチンへ戻す。なお、ステップＳ２６では、得られた評価値を平均するのではなく、所定回数得られた評価値を合計する処理を行ってもよい。また表示部１６が表示する主画像が静止画像である場合は、ＣＰＵ１１は、ステップＳ２４〜ステップＳ２６での処理を省略した処理を行う。
【００４５】
ステップＳ１３が終了した後は、ＣＰＵ１１は、主画像に含まれる全てのエリアについて評価を行ったか否かを判定し（Ｓ１４）、まだ評価を行っていないエリアがある場合は（Ｓ１４：ＮＯ）、処理をステップＳ１２へ戻してまだ評価を行っていない一のエリアを選択する。ステップＳ１４で全てのエリアについて評価を行っている場合は（Ｓ１４：ＹＥＳ）、ＣＰＵ１１は、平均した評価値の値が最大であるエリアを、ＯＳＤ画像を合成して表示すべきエリアとして選択する（Ｓ１５）。
【００４６】
ＣＰＵ１１は、次に、ＯＳＤ画像を生成するＯＳＤ画像生成処理を行う（Ｓ１６）。図５は、ステップＳ１６のＯＳＤ画像生成処理のサブルーチンの手順を示すフローチャートである。ＣＰＵ１１は、ＯＳＤ画像を合成すべきエリアとして選択したエリアの主画像内での位置に応じて、現在の時刻等の情報を示すＯＳＤ画像が合成されるエリア内での位置を決定する（Ｓ３１）。エリアの位置とＯＳＤ画像のエリア内での位置の対応は、設定情報１３ａに設定されている。
【００４７】
図６は、エリアの主画像内での位置に応じたＯＳＤ画像のエリア内での位置の例を示す模式図である。図６（ａ）は、図中に波線で示した主画像内の左上のエリア内にＯＳＤ画像が合成される場合の例を示し、図６（ｂ）は、図中に波線で示した主画像内の右下のエリア内にＯＳＤ画像が合成される場合の例を示している。図６（ａ）に示す如く、例えば主画像内の左上のエリアに対しては、ＯＳＤ画像が上詰め左揃えになるようなＯＳＤ画像のエリア内での位置が決定される。また例えば主画像内の右下のエリアに対しては、図６（ｂ）に示す如く、ＯＳＤ画像が下詰め右揃えになるようなＯＳＤ画像のエリア内での位置が決定される。また例えば左下のエリアに対してはＯＳＤ画像が下詰め左揃えになるような位置が、右上のエリアに対してはＯＳＤ画像が上詰め右揃えになるような位置が夫々決定される。
【００４８】
ＣＰＵ１１は、次に、主画像の選択したエリア内に含まれる輝度信号の強度を取得する（Ｓ３２）。このときＣＰＵ１１は、エリア内での平均値、中央値又は最頻値等の輝度信号の強度の代表的な値を取得する。ＣＰＵ１１は、次に、取得した輝度信号の強度は所定値以上であるか否かを判定する（Ｓ３３）。エリア内の輝度信号の強度が所定値以上である場合は（Ｓ３３：ＹＥＳ）、ＣＰＵ１１は、ＯＳＤ画像の輝度信号の強度を、エリア内の輝度信号の強度よりも所定以上に低い低輝度に設定する（Ｓ３４）。エリア内の輝度信号の強度が所定値未満である場合は（Ｓ３３：ＮＯ）、ＣＰＵ１１は、ＯＳＤ画像の輝度信号の強度を、エリア内の輝度信号の強度よりも所定以上に高い高輝度に設定する（Ｓ３５）。
【００４９】
図７は、エリア内に含まれる輝度信号の強度に応じたＯＳＤ画像の例を示す模式図である。図中の黒い部分は低輝度の部分であり、図７（ａ）は、図中に波線で示した主画像内の高輝度のエリア内にＯＳＤ画像が合成される場合の例を示し、図７（ｂ）は、図中に波線で示した主画像内の低輝度のエリア内にＯＳＤ画像が合成される場合の例を示している。図７（ａ）に示す如く、主画像のＯＳＤ画像を合成すべきエリア内が高輝度である場合は、ＯＳＤ画像は低輝度に設定される。また図７（ｂ）に示す如く、主画像のＯＳＤ画像を合成すべきエリア内が低輝度である場合は、ＯＳＤ画像は高輝度に設定される。
【００５０】
ＣＰＵ１１は、次に、主画像の選択したエリア内での色相を取得する（Ｓ３６）。このときＣＰＵ１１は、エリア内での色相の平均等の、代表的な色相を取得する。ＣＰＵ１１は、次に、ＯＳＤ画像の色相を、エリア内の色相と補色の関係となる色相に設定する（Ｓ３７）。ＣＰＵ１１は、次に、決定したエリア内での位置、輝度信号の強度、及び色相にて、現在の時刻、画像データのファイル名、撮影画像の撮影日時等の情報を示すＯＳＤ画像を生成し（Ｓ３８）、ステップＳ１６のサブルーチンを終了して処理をメインのルーチンへ戻す。なお、輝度信号の強度及び色相を設定する際には、時間方向の代表的な値を用いて設定してもよく、所定時間間隔の主画像の夫々について輝度信号の強度及び色相を設定してもよい。
【００５１】
ステップＳ１６が終了した後は、ＣＰＵ１１は、主画像内の選択したエリアに、生成したＯＳＤ画像を合成し（Ｓ１７）、現在時刻、画像データのファイル名、撮影画像の撮影日時等の情報を示すＯＳＤ画像を主画像に合成した画像を表示部１６に表示させ（Ｓ１８）、処理を終了する。処理を終了した後は、ＣＰＵ１１は、ステップＳ１１へ戻ってトリガの監視を行う。
【００５２】
以上詳述した如く、本発明の画像表示装置１は、エリア内に含まれる輝度信号の高周波成分の強度が小であるほどより高い評価をエリアに対して与えることにより、ＯＳＤ画像を合成して表示すべきエリアとして、輝度信号の空間周波数の高周波成分あｇ最小となるエリアを選択する。図３に示した主画像の例では、図３（ｂ）に示す四つのエリア中で左下のエリアは高周波成分が多いので選択されず、左上又は右上のエリアが高周波成分が少ないのでこれらのエリアが選択される。空間周波数の高周波成分がより少ない部分は、画像の変化に乏しく、使用者が注目する可能性が低い部分であると推測されるので、この部分にＯＳＤ画像を表示することにより、使用者が注目している画像内の部分の視認がＯＳＤ画像のために困難になることを防止することができる。また、通常、ＯＳＤ画像は、現在時刻等を示す文字からなる画像であり、空間周波数の高周波成分が比較的に多いので、高周波成分が比較的に少ない部分にＯＳＤ画像を表示することにより、ＯＳＤ画像の視認が容易となる。
【００５３】
なお、画像表示装置１は、使用者が注目する部分に含まれる可能性が高い所定の空間周波数領域を定めておき、この空間周波数領域の強度が低いエリアにＯＳＤ画像を表示する処理を行ってもよい。また画像表示装置１は、使用者が注目する部分に含まれる可能性が低い所定の空間周波数領域を定めておき、この空間周波数領域の強度が高いエリアにＯＳＤ画像を表示する処理を行ってもよい。この場合でも、使用者が注目している画像内の部分の視認がＯＳＤ画像のために困難になることを防止することができる。
【００５４】
また、エリアの位置に応じてエリア内でのＯＳＤ画像の位置を変更することにより、図６に示す如く可能な限りＯＳＤ画像を隅に寄せる等して、ＯＳＤ画像によって主画像の視認が困難になる可能性を低下させることができる。更に、図７に示す如く、エリア内の輝度が高い場合にはＯＳＤ画像の輝度を低輝度にし、エリア内の輝度が低い場合にはＯＳＤ画像の輝度を高輝度にすることにより、ＯＳＤ画像の視認を容易にすることができる。また同様に、ＯＳＤ画像の色相をエリア内の色相と補色関係とすることにより、ＯＳＤ画像の視認を容易にすることができる。
【００５５】
以上に説明した処理では、画像表示装置１は、ＯＳＤ画像の輝度及び色相を調整することによってＯＳＤ画像の視認を容易にさせる処理を行っているが、これに限るものではなく、ＯＳＤ画像の輝度及び色相を固定しておき、ＯＳＤ画像の輝度及び色相に応じたエリアを選択することによってＯＳＤ画像の視認を容易にさせる処理を行ってもよい。以下に、ＯＳＤ画像の輝度及び色相に応じたエリアを選択するための、前述の処理とは異なった画像表示装置１の処理の例を説明する。
【００５６】
ＣＰＵ１１は、前述と同様にステップＳ１１及びＳ１２の処理を行い、次にステップＳ１３のエリア評価処理を行う。図８は、ステップＳ１３のエリア評価処理の他の処理例の手順を示すフローチャートである。次に、図８に従ってエリア評価処理の他の処理例の手順を説明する。
【００５７】
ＣＰＵ１１は、ＯＳＤ画像を合成すべき主画像のステップＳ１２で選択したエリア内に含まれる輝度信号の強度を取得する（Ｓ４０１）。このときＣＰＵ１１は、エリア内での平均値、中央値又は最頻値等の輝度信号の強度の代表的な値を取得する。ＣＰＵ１１は、次に、エリア内の主画像の輝度信号の代表的な強度とＯＳＤ画像の輝度信号の強度との強度差を計算する（Ｓ４０２）。ＯＳＤ画像の輝度信号の強度は、設定情報１３ａに設定されている。ＣＰＵ１１は、次に、計算した輝度信号の強度差がより大であるほどより大なる評価値を決定する（Ｓ４０３）。輝度信号の強度差と評価値との対応は、設定情報１３ｂに設定されている。ＣＰＵ１１は、次に、エリア内の輝度信号の空間周波数の高周波成分を抽出して、高周波成分の強度を取得し（Ｓ４０４）、高周波成分の強度がより小であるほどより大なる評価値を、既に決定されている評価値に追加する（Ｓ４０５）。
【００５８】
ＣＰＵ１１は、次に、主画像のエリア内での色相を取得する（Ｓ４０６）。このときＣＰＵ１１は、エリア内での色相の平均等の、代表的な色相を取得する。ＣＰＵ１１は、次に、取得したエリア内での色相とＯＳＤ画像の色相との色相差を求める（Ｓ４０７）。ＯＳＤ画像の色相は、設定情報１３ａに設定されている。ここで求められる色相差は、互いの色が類似色であるほど小さく、互いの色が補色の関係にある場合に最大となる値である。ＣＰＵ１１は、次に、求めた色相差が大であるほどより大なる評価値を更に追加する（Ｓ４０８）。
【００５９】
ＣＰＵ１１は、次に、時間経過に伴って順次表示されるべき主画像について所定回数の評価を既に行ったか否かを判定する（Ｓ４０９）。所定回数の評価をまだ行っていない場合は（Ｓ４０９：ＮＯ）、ＣＰＵ１１は、Ｓ４０１〜Ｓ４０８で評価を行ったエリアが含まれる主画像が表示されてから所定時間後に表示されるべき主画像の選択したエリア内に含まれる輝度信号を取得し（Ｓ４１０）、処理をステップＳ４０１へ戻す。ステップＳ４０９で所定回数の評価を既に行っている場合は（Ｓ４０９：ＹＥＳ）、ＣＰＵ１１は、所定回数得られた評価値を平均し（Ｓ４１１）、ステップＳ１３のサブルーチンを終了して処理をメインのルーチンへ戻す。なお、輝度信号の強度差と高周波成分の強度と色相差とに応じた評価値は、夫々について定められた重み係数を評価値に掛けた上で足し合わせてもよい。
【００６０】
ステップＳ１３が終了した後は、ＣＰＵ１１は、前述と同様にステップＳ１４の処理を行い、次に、得られた評価値が最大であるエリアを選択するステップＳ１５の処理を行い、次にステップＳ１６のＯＳＤ画像を生成するＯＳＤ画像生成処理を行う。ステップＳ１６のＯＳＤ画像生成処理では、ＣＰＵ１１は、図５のフローチャートに示した手順の内、ステップＳ３２〜Ｓ３７の処理を省略した処理を行うことによって、選択したエリアの主画像内での位置に応じてＯＳＤ画像のエリア内での位置を決定して、ＯＳＤ画像を生成する。ステップＳ１６が終了した後は、ＣＰＵ１１は、前述と同様にステップＳ１７及びＳ１８の処理を行うことによって、現在時刻、画像データのファイル名、撮影画像の撮影日時等の情報を示すＯＳＤ画像を主画像に合成した画像を表示部１６に表示させ、処理を終了する。
【００６１】
以上に示した処理を行う画像表示装置１においては、主画像のエリア内での輝度信号とＯＳＤ画像の輝度信号との強度差が大であるほどより大なる評価値をエリアに対して決定することにより、ＯＳＤ画像を合成して表示すべきエリアとして、ＯＳＤ画像の輝度信号との強度差がより大きいエリアを選択する。これにより、主画像内のＯＳＤ画像が位置する部分の輝度がＯＳＤ画像の輝度と大きく異なるので、ＯＳＤ画像の視認が容易となる。なお、エリア評価処理では、主画像のエリア内での輝度信号の強度のみに基づいてエリアを評価する処理を行ってもよい。この場合は、主画像のエリア内での輝度信号とＯＳＤ画像の輝度信号との強度差が最大となるエリアが、ＯＳＤ画像を合成して表示すべきエリアとして選択される。
【００６２】
また、画像表示装置１は、主画像のエリア内での色相とＯＳＤ画像の色相との色相差が大であるほどより大なる評価値を与えることにより、ＯＳＤ画像を合成して表示すべきエリアとして、互いの色相の関係が補色の関係により近くなるエリアを選択する。これにより、ＯＳＤ画像の視認が容易となる。なお、エリア評価処理では、主画像のエリア内での色相のみに基づいてエリアを評価する処理を行ってもよい。この場合は、主画像のエリア内での色相とＯＳＤ画像の色相との色相差が最大となるエリアが、ＯＳＤ画像を合成して表示すべきエリアとして選択される。
【００６３】
なお、本実施の形態においては、ＯＳＤ画像は、現在時刻、画像データのファイル名、撮影画像の撮影日時等の情報を文字で示す画像であるとしたが、これに限るものではなく、音声のボリュームを示すインジケータ等の、文字以外の絵を含んで構成された画像であってもよい。
【００６４】
また、本実施の形態においては、画像表示装置１の形態として、ＣＲＴモニタ又は液晶モニタ等の表示部１６に画像を表示する形態を示したが、これに限るものではなく、外部のスクリーン又は白壁等に画像を投射することによって画像を表示するプロジェクタの形態であってもよい。
【図面の簡単な説明】
【００６５】
【図１】本発明の画像表示装置の内部の機能構成を示す機能ブロック図である。
【図２】ＣＰＵが行う処理の手順を示すフローチャートである。
【図３】主画像及び複数のエリアの例を示す模式図である。
【図４】ステップＳ１３のエリア評価処理のサブルーチンの手順を示すフローチャートである。
【図５】ステップＳ１６のＯＳＤ画像生成処理のサブルーチンの手順を示すフローチャートである。
【図６】エリアの主画像内での位置に応じたＯＳＤ画像のエリア内での位置の例を示す模式図である。
【図７】エリア内に含まれる輝度信号の強度に応じたＯＳＤ画像の例を示す模式図である。
【図８】ステップＳ１３のエリア評価処理の他の処理例の手順を示すフローチャートである。
【符号の説明】
【００６６】
１  画像表示装置
１１  ＣＰＵ
１２  ＲＡＭ
１３  ＲＯＭ
１４  表示メモリ
１５  画像記憶部
１６  表示部
【図１】
2006078693.tif 000003
【図２】
2006078693.tif 000004
【図３】
2006078693.tif 000005
【図４】
2006078693.tif 000006
【図５】
2006078693.tif 000007
【図６】
2006078693.tif 000008
【図７】
2006078693.tif 000009
【図８】
2006078693.tif 000010